(57)【要約】【課題】静止画撮像装置と動画撮像装置とで協調撮影する場合に、静止画撮像装置での撮影に関する情報を、動画撮像装置で撮影している動画像に関連付けできるようにする【解決手段】動画撮像記録装置２と静止画撮像記録装置１とが通信可能に構成されており、静止画撮像記録装置１は、動画撮像記録装置２での動画撮影中に、自機での撮影に関する情報、例えばＳＷ１、２のタイミング情報や撮影された静止画像を動画撮像記録装置２に送信する。動画撮像記録装置２は、動画撮影中に、静止画撮像記録装置１から撮影に関する情報を受信すると、撮影に関する情報を動画フレームに関連付ける。【選択図】図１
2010193307.tif 000002
【特許請求の範囲】
【請求項１】
動画撮像装置と通信可能な静止画撮像装置であって、
前記動画撮像装置での動画撮影中に行われた自機での撮影に関する情報を前記動画撮像装置に送信する送信手段を備え、
前記撮影に関する情報は、前記動画撮像装置により撮影された動画と関連付けられることを特徴とする静止画撮像装置。
【請求項２】
前記撮影に関する情報として、撮影の時間情報を送信することを特徴とする請求項１に記載の静止画撮像装置。
【請求項３】
撮影操作を二段階の入力で行う構成であり、
前記撮影に関する情報として、一段階目が入力されたタイミング情報と、二段階目が入力されたタイミング情報とを送信することを特徴とする請求項１に記載の静止画撮像装置。
【請求項４】
前記撮影に関する情報として、撮影の時間情報を含む静止画像を送信することを特徴とする請求項１に記載の静止画撮像装置。
【請求項５】
撮影操作を二段階の入力で行う構成であり、
前記撮影に関する情報として、一段階目が入力されたタイミング情報と、二段階目が入力されることにより撮影された静止画像とを送信することを特徴とする請求項１に記載の静止画撮像装置。
【請求項６】
静止画撮像装置と通信可能な動画撮像装置であって、
動画撮影中に該静止画撮像装置で行われた撮影に関する情報を、前記静止画撮像装置から受信する受信手段と、
前記受信手段により受信した撮影に関する情報を、前記動画撮像装置により撮影された動画のフレームに関連付ける関連付け手段とを備えたことを特徴とする動画撮像装置。
【請求項７】
前記関連付け手段により前記動画のフレームに関連付けられた撮影に関する情報を動画像のインデックスとして表示装置に表示する表示手段と、
前記インデックスが指定されると、前記撮影に関する情報に関連付けられた動画フレームから再生を開始する再生手段とを備えたことを特徴とする請求項６に記載の動画撮像装置。
【請求項８】
前記静止画撮像装置は、撮影操作を二段階の入力で行う構成であるとともに、前記撮影に関する情報として、一段階目が入力されたタイミング情報と、二段階目が入力されることにより撮影された静止画像とを送信し、
前記関連付け手段により前記動画フレームに関連付けられた前記静止画像を動画像のインデックスとして表示装置に表示する表示手段と、
前記インデックスが指定されると、前記一段階目が入力されたタイミング情報に関連付けられた動画フレームから再生を開始する再生手段とを備えたことを特徴とする請求項６に記載の動画撮像装置。
【請求項９】
動画撮像装置と静止画撮像装置とが通信可能に構成された撮像システムであって、
前記静止画撮像装置は、
前記動画撮像装置での動画撮影中に自機で行われた撮影に関する情報を、前記動画撮像装置に送信する送信手段を備え、
前記動画撮像装置は、
前記静止画撮像装置から前記撮影に関する情報を受信する受信手段と、
前記受信手段により受信した撮影に関する情報を自機で撮影された動画のフレームに関連付ける関連付け手段とを備えたことを特徴とする撮像システム。
【請求項１０】
動画撮像装置と通信可能な静止画撮像装置の制御方法であって、
前記動画撮像装置での動画撮影中に行われた自機での撮影に関する情報を前記動画撮像装置に送信する手順を有し、
前記撮影に関する情報は、前記動画撮像装置により撮影された動画と関連付けられることを特徴とする静止画撮像装置の制御方法。
【請求項１１】
静止画撮像装置と通信可能な動画撮像装置の制御方法であって、
動画撮影中に該静止画撮像装置で行われた撮影に関する情報を、前記静止画撮像装置から受信する手順と、
前記受信した撮影に関する情報を、前記動画撮像装置により撮影された動画のフレームに関連付ける手順とを有することを特徴とする動画撮像装置の制御方法。
【請求項１２】
動画撮像装置と通信可能な静止画撮像装置を制御するためのプログラムであって、
前記動画撮像装置での動画撮影中に行われた自機での撮影に関する情報を前記動画撮像装置に送信する処理をコンピュータに実行させ、
前記撮影に関する情報は、前記動画撮像装置により撮影された動画と関連付けられることを特徴とするプログラム。
【請求項１３】
静止画撮像装置と通信可能な動画撮像装置を制御するためのプログラムであって、
動画撮影中に該静止画撮像装置で行われた撮影に関する情報を、前記静止画撮像装置から受信する処理と、
前記受信した撮影に関する情報を、前記動画撮像装置により撮影された動画のフレームに関連付ける処理とをコンピュータに実行させるためのプログラム。
【発明の詳細な説明】
【技術分野】
【０００１】
本発明は、協調撮影を行うのに利用して好適な静止画撮像装置及び動画撮像装置、その制御方法、撮像システム並びにプログラムに関する。
【背景技術】
【０００２】
従来の技術として、撮像記録装置において、動画像を記録しながら、静止画像を撮影するという製品がある。この機能は撮像記録装置単体で動画撮影と静止画撮影を実現し、被写体を動画撮影しながら静止画としても画像を残すことができる。
【０００３】
最近では、子供の運動会等で、母親がビデオ撮影をし、父親が写真撮影をする光景や、ビデオカメラを三脚で固定し、写真撮影に父親が動き回るといった光景が見られる。撮影対象の被写体は同じであるが、両親が夫々の撮影機材で独立して撮影しているので、被写体の構図は変ってくる。
【０００４】
上述したビデオカメラは一台で動画撮影と静止画撮影ができるので、撮影者は父親か母親のどちらかで良い。ただし、動画像と静止画像を共に同じ機材で撮影するので、被写体に対する構図は常に一定であり、静止画像は動画像の１フレームを切り出しただけの印象になる。
【０００５】
この種の技術として、例えば特許文献１には、複数の撮影を同時に行うとともに、各々の撮影により取得した複数の撮影画像を記録する同時撮影機能を備えた電子カメラが開示されている。この電子カメラでは、動画撮影中に撮影された静止画、及び撮影中の動画の記録に際し、双方の画像を、他方の画像を特定するリンク情報と、静止画の撮影タイミングを示す情報とに関連付けて記憶する。
【０００６】
また現在は、別々の撮像記録装置で撮影した写真と動画ファイルを簡単に関係付けることができていない。そのため、家に帰ってから撮影した運動会の写真を見て、決定的瞬間を撮った写真を見つけたときに、その時の動画像を見たいと思った場合、動画像を最初から再生し、早送りをしながらサーチする必要がある。
【０００７】
更に、従来のビデオカメラでは、撮影した静止画像を動画ファイルを示すインデックスとしてリンク付けるものもあるが、それは単に動画像の代表画像を示している場合が多い。その場合、見たい部分とリンクしていないと、目的の動画像を見るためには、やはり最初から再生し、早送りしながらサーチする必要がある。
【０００８】
また、静止画像と関連した部分から再生可能なものがあっても、被写体の構図という意味では単調なインデックスになってしまう。
【先行技術文献】
【特許文献】
【０００９】
【特許文献１】特開２００４−３０４４２５号公報
【発明の概要】
【発明が解決しようとする課題】
【００１０】
上記のように、別々の動画撮像記録装置と静止画撮像記録装置とで撮影した画像を関連付ける仕組みは無かった。
【００１１】
現在では、ビデオカメラのような動画撮像記録装置やデジタルカメラのような静止画撮像記録装置は多くの家庭で使用されている。これらは、子供の成長の記録、旅行の記録等に手軽に使用されている。デジタルカメラの中には、お互いのカメラが最初に認識するような設定を行えば、撮影した画像を自動的に他人のカメラに送信する製品もある。この製品の使用方法としては、パーティーで友達の撮影した写真を撮影しながら自動的に送信することで、後日欲しいファイルを送る手間を省くことを想定している。
【００１２】
例えば、固定若しくは母親が子供の姿をビデオ等の動画撮像記録装置で動画記録し、父親がデジタルカメラ等の静止画撮像記録装置で決定的瞬間を写真にとるような場面を考える。写真と動画像は何のリンクもされていないので、現状はバラバラに観賞される。そのため、撮影した写真を見ながらその時の動画像を見たいと思っても、その場面の画像を再生しながら検索する必要がある。また、一台の撮像記録装置で動画像と静止画像を観賞する場合は、被写体の画角が固定されてしまうので、写真としては単一的なものになってしまう。画角を変えながら写真撮影が行えることに写真としての撮影の楽しさがあり、同時に動画記録した画像を別の撮像記録装置の画像等の撮影情報で検索し、再生することができると新しい使い方が可能となる。
【００１３】
本発明は以上のような状況に鑑みてなされたものであり、静止画撮像装置と動画撮像装置での撮影に関する情報を簡単に関連付けできるようにすることを目的とする。
【課題を解決するための手段】
【００１４】
本発明の静止画撮像装置は、動画撮像装置と通信可能な静止画撮像装置であって、前記動画撮像装置での動画撮影中に行われた自機での撮影に関する情報を前記動画撮像装置に送信する送信手段を備え、前記撮影に関する情報は、前記動画撮像装置により撮影された動画と関連付けられることを特徴とする。
本発明の動画撮像装置は、静止画撮像装置と通信可能な動画撮像装置であって、動画撮影中に該静止画撮像装置で行われた撮影に関する情報を、前記静止画撮像装置から受信する受信手段と、前記受信手段により受信した撮影に関する情報を、前記動画撮像装置により撮影された動画のフレームに関連付ける関連付け手段とを備えたことを特徴とする。
本発明の撮像システムは、動画撮像装置と静止画撮像装置とが通信可能に構成された撮像システムであって、前記静止画撮像装置は、前記動画撮像装置での動画撮影中に自機で行われた撮影に関する情報を、前記動画撮像装置に送信する送信手段を備え、前記動画撮像装置は、前記静止画撮像装置から前記撮影に関する情報を受信する受信手段と、前記受信手段により受信した撮影に関する情報を自機で撮影された動画のフレームに関連付ける関連付け手段とを備えたことを特徴とする。
本発明の静止画撮像装置の制御方法は、動画撮像装置と通信可能な静止画撮像装置の制御方法であって、前記動画撮像装置での動画撮影中に行われた自機での撮影に関する情報を前記動画撮像装置に送信する手順を有し、前記撮影に関する情報は、前記動画撮像装置により撮影された動画と関連付けられることを特徴とする。
本発明の動画撮像装置の制御方法は、静止画撮像装置と通信可能な動画撮像装置の制御方法であって、動画撮影中に該静止画撮像装置で行われた撮影に関する情報を、前記静止画撮像装置から受信する手順と、前記受信した撮影に関する情報を、前記動画撮像装置により撮影された動画のフレームに関連付ける手順とを有することを特徴とする。
本発明のプログラムは、動画撮像装置と通信可能な静止画撮像装置を制御するためのプログラムであって、前記動画撮像装置での動画撮影中に行われた自機での撮影に関する情報を前記動画撮像装置に送信する処理をコンピュータに実行させ、前記撮影に関する情報は、前記動画撮像装置により撮影された動画と関連付けられることを特徴とする。
本発明のプログラムは、静止画撮像装置と通信可能な動画撮像装置を制御するためのプログラムであって、動画撮影中に該静止画撮像装置で行われた撮影に関する情報を、前記静止画撮像装置から受信する処理と、前記受信した撮影に関する情報を、前記動画撮像装置により撮影された動画のフレームに関連付ける処理とをコンピュータに実行させるた。
【発明の効果】
【００１５】
本発明によれば、動画撮像装置での動画撮影中に、静止画撮像装置での撮影に関する情報を、動画撮像装置で撮影している動画に自動的に関連付けることができる。
【図面の簡単な説明】
【００１６】
【図１】本発明を適用した実施形態に係る撮像記録システムの構成を示す図である。
【図２】動画記録及び静止画記録可能なデジタル一眼レフカメラの外観図である。
【図３】動画記録及び静止画記録可能なデジタル一眼レフカメラの断面図である。
【図４】動画記録及び静止画記録可能なデジタル一眼レフカメラの回路構成を示すブロック図である。
【図５】動画像データを記録する場合の汎用ファイルフォーマットについて説明するための図である。
【図６】静止画撮像記録装置での撮影に関する情報を動画撮像記録装置に送信し、動画フレームに関連付ける処理の概要を示すフローチャートである。
【図７】動画像ファイル群と静止画像記録装置からの撮影情報の表示例を示す図である。
【図８】静止画撮像記録装置での撮影情報として撮影の時間情報を動画撮像記録装置に送信し、動画フレームに関連付ける処理を示すフローチャートである。
【図９】撮影情報送信フレームの例を示す図である。
【図１０】ｓＩｎｄｅｘブロックのデータ構成例を示す図である。
【図１１】静止画撮像記録装置での撮影情報として静止画像を動画撮像記録装置に送信し、動画フレームに関連付ける処理を示すフローチャートである。
【図１２】動画フレームに撮影情報を関連付けている様子を説明するための図である。
【図１３】動画像ファイル群と静止画撮影情報の表示例を示す図である。
【図１４】動画撮像記録装置での再生処理を示すフローチャートである。
【図１５】静止画像の選択とそれに関連した動画フレームの再生の概要を説明するための図である。
【図１６】動画撮像記録装置での再生処理を示すフローチャートである。
【発明を実施するための形態】
【００１７】
以下、添付図面を参照して、本発明の好適な実施形態について説明する。
（第１の実施形態）
図１は、本発明を適用した実施形態に係る静止画撮像記録装置（静止画撮像装置）１と動画撮像記録装置（動画撮像装置）２とが協調撮影を行う撮像システムの構成を示す図である。本実施形態では、動画撮像記録装置２は三脚に接続されて定点撮影的に使用されることを例にする。そのため、動画撮像記録装置２は撮影したい被写体の構図を決めて設置される。また、静止画撮像記録装置１では、撮影者が移動しながら操作し、動画撮影している被写体に対して画角を変更しながら好きな構図で撮影することを例にする。図１において、静止画撮像記録装置１が動画撮像記録装置２に無線通信により情報送信を行う構成を示すが、有線通信により情報送信を行う構成としても良い。
【００１８】
図２は、動画記録及び静止画記録可能なデジタル一眼レフカメラの外観図（撮影者側より見た背面側斜視図）であり、図３は、デジタル一眼レフカメラの垂直断面図である。なお、図１に示した静止画撮像記録装置１は、以下に述べるようなデジタル一眼レフカメラでも良いし、静止画撮影可能なビデオでも良い。また、図１に示した動画撮像記録装置２は、ビデオでも良いし、以下に述べるようなデジタル一眼レフカメラでも良い。
【００１９】
図２に示すように、カメラ本体１００の上部には、ファインダ観察用の接眼窓１１１、ＡＥ（自動露出）ロックボタン１１２、ＡＦ（自動焦点調整）の測距点選択ボタン１１３が設けられている。
【００２０】
また、撮影操作（撮影に関する指示を）するためのレリーズボタン１１４が設けられており、半押し状態（ＳＷ１）と全押し状態（ＳＷ２）の二段階の入力が可能となっている。
【００２１】
更に、諸々の設定値を選択するための電子ダイヤル４１１、撮影モード選択ダイヤル１１７、外部表示装置（ＬＣＤ）４０９が設けられている。撮影モード選択ダイヤル１１７は、ダイヤルを回すことで、撮影モードを変更することができる。撮影モードとしては、例えばシャッタースピード優先モード、プログラム撮影モード、夜景モード等がある。外部表示装置４０９は、液晶表示装置から構成され、シャッタースピード、絞り、現像モード等の撮影条件や他の情報を表示する。
【００２２】
カメラ本体１００の背面には、撮影された画像や補正処理を行った画像、メニュー画面等の各種設定画面等を表示するＬＣＤモニタ装置４１７が設けられている。本実施形態のＬＣＤモニタ装置４１７は透過型であるため、ＬＣＤモニタ装置４１７の駆動だけでは画像を視認することはできず、必ずその裏面には図３に示すようにバックライト照明装置４１６が必要である。このようにＬＣＤモニタ装置４１７とバックライト照明装置４１６は画像表示装置を構成する。
【００２３】
更に、ＬＣＤモニタ装置４１７をオン／オフするためのモニタスイッチ１２１、十字配置スイッチ１１６、メニューボタン１２４が設けられている。十字配置スイッチ１１６は、上下左右に配された４つのボタンと、中央に配されたＳＥＴボタンを有し、ユーザがＬＣＤモニタ装置４１７に表示されるメニュー項目等の選択や実行をカメラに指示するために用いられる。メニューボタン１２４は、ＬＣＤモニタ装置４１７にカメラの各種設定を行うためのメニュー画面を表示させるためのボタンである。例えばＬＣＤモニタ装置４１７に表示されるカメラの設定を変更する場合は、このメニューボタン１２４を押した後、十字配置スイッチ１１６の上下左右のボタンを操作し、希望のモードが選択された状態でＳＥＴボタンを押すことにより設定する。
【００２４】
図３に示すように、カメラ本体１００には、撮像光学系である撮影レンズ２００がレンズマウント２０２を介して着脱可能に装着される。なお、２０１は撮影光軸である。
【００２５】
カメラ本体１００内において、撮影光路中にはクイックリターンミラー２０３が配置される。クイックリターンミラー２０３は、撮影レンズ２００からの被写体光をファインダ光学系に導く位置（図３に示す位置、斜設位置と呼ぶ）と、撮影光路外に退避する位置（退避位置と呼ぶ）との間で移動可能である。
【００２６】
クイックリターンミラー２０３からファインダ光学系に導かれる被写体光はピント板２０４上に結像される。コンデンサレンズ２０５は、ファインダの視認性を向上させるために設けられる。ペンタゴナルダハプリズム２０６は、ピント板２０４及びコンデンサレンズ２０５を通った被写体光をファインダ観察用の接眼レンズ２０８及び測光センサ２０７に導く。
【００２７】
クイックリターンミラー２０３の後方には、後幕２０９及び先幕２１０により構成されるシャッターが配置される。これら後幕２０９、先幕２１０の開放によって、その後方に配置されている、被写体像を光電変換する固体撮像素子である撮像素子４１８が必要時間だけ露光される。撮像素子４１８によって画素毎の電気信号に変換された撮影画像は、後述のＡ／Ｄコンバータ４２３や画像処理回路４２５等で処理され、画像データとして記録媒体４１９に記録される。撮像素子４１８の前面には光学ローパスフィルタ４１８ａが配設されており、撮像素子４１８に結像する被写体像の空間周波数を調整している。
【００２８】
撮像素子４１８はプリント基板２１１に保持される。プリント基板２１１の後方には、もう一枚のプリント基板である表示基板２１５が配置される。表示基板２１５の反対側の面にＬＣＤモニタ装置４１７及びバックライト照明装置４１６が配置されている。
【００２９】
カメラ本体１００には、画像データを記録する記録媒体４１９、電池（携帯用電源）２１７が着脱可能に装着される。
【００３０】
図４は、図２、３に示したデジタル一眼レフカメラの回路構成を示すブロック図である。マイクロコンピュータ４０２は、撮像素子４１８が出力する画像データの処理や、ＬＣＤモニタ装置４１７の表示制御をはじめ、カメラ全体の動作を制御する。不揮発性のメモリ４２８は、マイクロコンピュータ４０２が実行するプログラム等を記憶する。
【００３１】
スイッチ（ＳＷ１）４０５は、レリーズボタン１１４の半押し状態でオンになり、スイッチ（ＳＷ１）４０５がオンすると撮影準備状態になる。スイッチ（ＳＷ２）４０６は、レリーズボタン１１４が最後まで押された状態（全押し状態）でオンし、スイッチ（ＳＷ２）４０６がオンすると撮影動作を開始する。
【００３２】
レンズ制御回路４０７は、撮影レンズ２００との通信及びＡＦ時の撮影レンズ２００の駆動制御や絞り羽根の駆動制御を行う。
【００３３】
外部表示制御回路４０８は、外部表示装置（ＯＬＣ）４０９や、ファインダ内の表示装置（不図示）の制御を行う。スイッチセンス回路４１０は、電子ダイヤル４１１を含む多数のスイッチ類の信号をマイクロコンピュータ４０２に伝える。
【００３４】
ストロボ発光調光制御回路４１２は、Ｘ接点４１２ａを介して接地されており、外部ストロボの制御を行う。測距回路４１３は、ＡＦのための被写体に対するデフォーカス量を検出する。測光回路４１４は、被写体の輝度を測定する。
【００３５】
シャッター制御回路４１５は、シャッターの制御を行い、撮像素子４１８に対して適正な露光を行う。ＬＣＤモニタ装置４１７とバックライト照明装置４１６は、画像表示装置を構成する。記録媒体４１９は、例えばカメラ本体に着脱可能なハードディスクドライブや半導体メモリカード等である。
【００３６】
また、マイクロコンピュータ４０２には、Ａ／Ｄコンバータ４２３、画像バッファメモリ４２４、ＤＳＰ等からなる画像処理回路４２５、撮像素子４１８内の所定画素そのものに欠陥があることを記憶している画素欠陥位置メモリ４２６が接続されている。また、ゴミによる画像不良を起こしている撮像素子４１８内の画素位置を記憶しているゴミ位置メモリ４２７も接続されている。
【００３７】
カメラは外部インタフェース４０４を介して外部機器と通信することができる。なお、外部インタフェース４０４は、無線通信を行うものでも良いし、有線通信を行うものでも良い。
【００３８】
次に、図５を参照して、動画像データを記録する場合の汎用ファイルフォーマットについて説明する。動画撮像記録装置２で撮影されたＭＰＥＧ（ＭＰＥＧ−２又はＭＰＥＧ−４フォーマット）の画像データを記録する汎用フォーマットとして、ＭＰ４（ＭＰＥＧ−４）ファイルフォーマットが用いられる。ＭＰ４ファイルとして記録することで、他のデジタル機器で再生できる等の互換性が保証される。
【００３９】
ＭＰ４ファイルは、基本的には、図５（ａ）に示すように、符号化されたストリーム画像データが入っているｍｄａｔボックスと、ストリーム画像データに関連する情報が入っているｍｏｏｖボックスとから構成される。
【００４０】
ｍｄａｔボックスは、図５（ｂ）に示すように、更に複数のチャンク（ｃｈｕｎｋ ｃＮ）で構成される。各チャンクは、図５（ｄ）に示すように、複数のサンプル（ｓａｍｐｌｅ ｓＭ）から構成される。各サンプルは、例えば図５（ｅ）に示すように、ｓａｍｐｌｅ ｓ１、ｓａｍｐｌｅ ｓ２、ｓａｍｐｌｅ ｓ３、ｓａｍｐｌｅ ｓ４、・・・に対してＩ０、Ｂ-２、Ｂ-１、Ｐ３、・・・の符号化されたＭＰＥＧ画像データが対応する。ここで、Ｉ０、Ｉ１、Ｉ２、・・・、Ｉｎは、イントラ符号化（フレーム内符号化）されたフレーム画像データである。Ｂ０、Ｂ１、Ｂ２、・・・、Ｂｎは、双方向から参照して符号化（フレーム間符号化）されるフレーム画像データである。Ｐ０、Ｐ１、Ｐ２、・・・、Ｐｎは、一方向（順方向）から参照して符号化（フレーム間符号化）されるフレーム画像データである。いずれも可変長符号データである。
【００４１】
ｍｏｏｖボックスは、図５（ｃ）に示すように、作成日時等が記録されるヘッダ情報から成るｍｖｈｄボックスと、ｍｄａｔボックスに格納されたストリーム画像データに関する情報を入れるｔｒａｋボックスとから構成される。ｔｒａｋボックスに格納される情報としては、図５（ｉ）に示すｓＩｎｅｘボックス、図５（ｈ）に示すｓｔｃｏボックス、図５（ｇ）に示すｓｔｓｃボックス、図５（ｆ）に示すｓｔｓｚボックスがある。ｓｔｃｏボックスには、図５（ｈ）に示すように、ｍｄａｔボックスの各チャンクへのオフセット値の情報を格納する。ｓｔｓｃボックスには、図５（ｇ）に示すように、各チャンク内のサンプル数の情報を格納する。ｓｔｓｚボックスには、図５（ｆ）に示すように、各サンプルのサイズの情報を格納する。
【００４２】
以下、図１に示した静止画撮像記録装置１と動画撮像記録装置２とを使用した協調撮影を説明する。図６は、動画撮像記録装置２での動画撮影中に、静止画撮像記録装置１での撮影に関する情報（以下、撮影情報と呼ぶ）を動画撮像記録装置２に送信し、動画フレームに関連付ける処理の概要を示すフローチャートである。静止画撮像記録装置１のシーケンスは図６（ａ）に、動画撮像記録装置２のシーケンスは図６（ｂ）に対応する。
【００４３】
まず、静止画撮像記録装置１と動画撮像記録装置２はユーザ操作に応じて所定のモードに移行し、ペアリングして、協調撮影を開始する（ステップＳ３０１、Ｓ３０４）。このペアリングする機能は３つ以上の機器で行っても良い。ペアリングは、通信に必要なお互いのアドレス認識と無線の場合は無線ネットワークの共有情報を交換して通信可能な状態を作るためと時間の同期のために行う。無線ＬＡＮの場合、サービスセットＩＤ、暗号化の有無、暗号キーが必要な場合はキー交換を行い、無線が確立したところでＩＰアドレスの解決を行う。本件の場合はオートＩＰによってＩＰアドレスを割り振り、相手先アドレスを撮像記録装置に記憶する。予めＩＰアドレスを設定している機器同士であればこの部分は自動的に省かれる。自動的に省く手段としては、Ｐｉｎｇコマンドをどちらからか送信し、パケット喪失が１００％であれば、オートＩＰ機能に移行する。無線通信の場合、無線プロトコルに関しては問わず、無線ＬＡＮでもＢｌｕｅｔｏｏｔｈでも良い。もちろん有線通信であっても良い。以下の説明においても、通信の確立のために同様の処理を行う。
【００４４】
静止画撮像記録装置１で撮影操作が行われると（ステップＳ３０２）、静止画撮像記録装置１は自機での操作による情報を撮影情報として動画撮像記録装置２に送信する（ステップＳ３０３）。この処理が、送信手段による処理の一例である。
【００４５】
動画撮像記録装置２では、撮像スイッチ又は録画釦を押すことで動画撮影が開始される（ステップＳ３０５）。その動画撮影中に静止画撮像記録装置１から撮影情報を受信すると（ステップＳ３０６）、その撮影情報を関連した撮影記録している動画フレームに関連付ける受信情報処理を行う（ステップＳ３０７）。動画フレームに対する関連付け処理は、撮影情報を図５（ｉ）に示すｔｒａｋボックス内のｓＩｎｄｅｘボックスに記録する。動画撮影が終了するまで（ステップＳ３０８、Ｓ３０９）、静止画撮像記録装置１から送信されてくる撮影情報に対して、繰り返し受信情報処理を行う（ステップＳ３０６、Ｓ３０７）。この処理が、受信手段及び関連付け手段による処理の一例である。
【００４６】
静止画撮像記録装置１と動画撮像記録装置２とにより協調撮影された画像ファイルは、図７に示すように、動画像インデックスとその動画像インデックスに関連付けられた撮影情報として表示される。この表示は動画撮像記録装置２のＬＣＤモニタ４１７に表示してもよいし、ＰＣ等にデータをコピー後、ＰＣ用のアプリケーション等を用いてＰＣのモニタ等に表示してもよい。図７において、動画像インデックス群は、記録されている動画像ファイルの先頭フレームを表示し、その動画像ファイルに何が記録されているかを表示する。動画像ファイルが複数記録されていることを再生画面に横の列として示している。表示している画像は動画像ファイルの内容を示唆している。この画像は上述したように先頭フレームでなくても良く、動画像ファイル内の所定の代表フレーム画像で良い。また、縦の列は、横の列と交差している動画像を記録した動画撮像記録装置２と協調撮影していた静止画撮像記録装置１からの撮影情報である。図７の例では、動画像インデックス７０１〜７０９のうち、動画１（７０５）及び動画２（７０２）の２つに、撮影情報が関連付けられている。
【００４７】
図８は、静止画撮像記録装置１での撮影情報として撮影の時間情報、具体的にはＳＷ１、ＳＷ２のタイミング情報を動画撮像記録装置２に送信し、動画フレームに関連付ける処理を示すフローチャートである。静止画撮像記録装置１のシーケンスは図８（ａ）に、動画撮像記録装置２のシーケンスは図８（ｂ）に対応する。
【００４８】
まず、静止画撮像記録装置１と動画撮像記録装置２とをペアリングして、協調撮影を開始する（ステップＳ４０１、Ｓ４０９）。この時点で、無線ＬＡＮの場合はＳＳＩＤの決定、暗号方式の決定、暗号キーの共有を行い、ＩＰアドレスの解決を行う。
【００４９】
また、ペアリングの際には動画撮像記録装置２又は静止画撮像記録装置１の時間情報を基に時間の同期も行う。基になる時間はどちらかの機器が取得しているＧＰＳのデータであっても良い。更に、時間の同期としては片方の機器が受け取った時間の差分を補正値として利用しても良い。この差分時間は例えば１０秒程度の時間を基準とし、基準時間を超える場合は時間設定の警告を出し、撮像記録装置の時間情報の再設定を促しても良い。
【００５０】
本例では、静止画撮像記録装置１から動画撮像記録装置２に時間情報を送付する。機器の時間の差分値が基準値より大きい場合は警告表示を出し、時間設定を再度するようにユーザに促す。差分時間が基準値以内の場合、動画撮像記録装置２は、受信した他機の撮影情報の時間を使用する場合、差分時間も加味して処理を行う。複数台の静止画撮像記録装置１と協調撮影をする場合は、動画撮像記録装置２は静止画撮像記録装置１の個別情報と時間の差分情報をそれぞれ記憶する。個別情報としては、通信に利用されるアドレスと使用しても良いし、ペアリング時にシリアル番号を取得し、それと関連付けして記憶しても良い。但し、通信アドレス以外での時間差分情報の記憶では、撮影情報に必ずシリアル番号のような機器個別情報を付加する必要がある。
【００５１】
動画撮像記録装置２では、撮像スイッチ又は録画釦を押すことで動画撮影が開始される（ステップＳ４１０）。動画撮影が開始されると、動画撮像記録装置２は通信の受信割り込みを受信するまでは動画撮影及び記録を継続する（ステップＳ４１０〜Ｓ４１６）。
【００５２】
静止画撮像記録装置１では、撮影者が測光測距のためにレリーズボタン１１４を半押ししてＳＷ１がオンになったか否かを判定する（ステップＳ４０２）。ＳＷ１がオンになると（一段階目の入力）、撮影情報として、ＳＷ１がオンになったという内容とオンになった時点の時間情報（以下、この撮影情報をタイミング情報ともいう）とを動画撮像記録装置２に送信する（ステップＳ４０３）。
【００５３】
動画撮像記録装置２では、動画撮影中に静止画撮像記録装置１からタイミング情報を受信すると（ステップＳ４１１）、ＳＷ１がオンになった時間に関連する動画フレームにタイミング情報をマークとして付加して関連付ける（ステップＳ４１２）。通常静止画撮像記録装置１でのＳＷ１は、ＡＦ、測光測距に使用されるので何度もオンになる可能性がある。その場合、静止画撮像記録装置１は、ＳＷ１がオンになるたびに、タイミング情報を動画撮像記録装置２に送信する（ステップＳ４０２〜Ｓ４０４を繰り返す）。そして、動画撮像記録装置２は、タイミング情報を受信するたびに、動画フレームにマークをする（ステップＳ４１１〜Ｓ４１３を繰り返す）。
【００５４】
次に、静止画撮像記録装置１では、レリーズボタン１１４を全押ししてＳＷ２がオンになると撮影が行われる。ＳＷ２がオンになると（二段階目の入力）（ステップＳ４０５）、撮影情報として、ＳＷ２がオンになったという内容とオンになった時点の時間情報とを動画撮像記録装置２に送信する（ステップＳ４０６）。なお、タイミング情報は、ＳＷ１がオンになったときに送信されたものか、ＳＷ２がオンになったときに送信されたかを識別するための情報を含む。さらに静止画撮像記録装置１は、撮影動作を開始し、撮影現像処理を行う（ステップＳ４０７）。
【００５５】
動画撮像記録装置２では、静止画撮像記録装置１からタイミング情報を受信すると（ステップＳ４１３）、ＳＷ２がオンになった時間に関連する動画フレームにタイミング情報をマークとして付加して関連付ける（ステップＳ４１４）。静止画撮像記録装置１は、ＳＷ２がオフになるまで、タイミング情報を動画撮像記録装置２に送信し（ステップＳ４０６〜Ｓ４０８を繰り返す）。動画撮像記録装置２は、タイミング情報を受信するたびに、動画フレームにマークをする（ステップＳ４１４〜、４１５を繰り返す）。
【００５６】
動画撮影が終了するまで（ステップＳ４１６、Ｓ４１７）、静止画撮像記録装置１から送信されてくるタイミング情報に対して、繰り返し受信情報処理を行う（ステップＳ４１１〜Ｓ４１５）。
【００５７】
静止画撮像記録装置１の操作による撮影情報の送信は、例えば図９に示すように、ＵＤＰ部分を利用して行われる。ＵＤＰはユーザーデータパートを意味し、操作識別子、Ｄａｔａ長及びＤａｔａからなる。ＵＤＰ部分に入れる内容は自由に決めることができ、本例の場合、撮影情報はＳＷ１、ＳＷ２の情報になる。操作識別子には、ＳＷ１、ＳＷ２に対応するコードを格納する。Ｄａｔａ長には、４Ｂｙｔｅという意味で４を入れる。Ｄａｔａには、ＳＷ１、ＳＷ２のタイミング情報（オンになった時点の時間情報）を格納する。なお、ＵＤＰの構成及びＵＤＰを通信する通信フレームはこの構成でなくても構わない。
【００５８】
動画撮像記録装置２は、受信した撮影情報を画像フレームに関連付ける。動画フレームへの関連付けは、図５のｔｒａｋボックス内に新たにｓＩｎｄｅｘボックス（ｉ）をデータ領域としてＭＰ−４の構成とする。静止画撮像記録装置１からの撮影情報はｓＩｎｄｅｘボックスにマークする。ここでマークと記述しているのはデータを格納することを意味する。
【００５９】
図１０に、ｓＩｎｄｅｘボックスのデータ構成の例を示す。フレーム識別子は動画フレームの識別を行い、操作識別子は前記ＵＤＰの操作識別子が入る。データ１、２、・・・は構成によって変る。本例では時間情報をデータ１に格納する。ｓＩｎｄｅｘボックス内のデータは、図５に示すように各動画フレームに対応して書き込まれる。
【００６０】
以上述べた実施形態に係る撮像記録システムによる効果を例を挙げて説明する。上述したように、動画撮像記録装置２は三脚に接続されて定点撮影的に使用され、静止画撮像記録装置１では、撮影者が移動しながら操作し、動画撮影している被写体に対して画角を変更しながら好きな構図で撮影するものとする。被写体は同じであるが、記録している画像ファイルが動画像ファイルと静止画像ファイルであるという違いと、撮影している画角が夫々の撮像記録装置では異なるという違いがある。
【００６１】
このように撮影した２種類の画像ファイルの観賞は、動画像ファイルを観賞する場合は再生装置で動画を再生しながら観賞し、静止画像ファイルを観賞する場合は写真として印刷し、手元で観賞するか、表示装置にデジタル画像として表示し観賞する。
【００６２】
この場合に、従来のように動画像と静止画像との関連が無いとき、決定的瞬間や興味がある瞬間の静止画像を見ていて、その写真と関連して記録していた動画像を見たい場合は、自分で動画像を先頭から再生し検索する必要がある。また、静止画像と動画像とが関連付けされていないので、動画像の内容及び再生ポイントを表すインデックス画像として整理することができない。更に、静止画像と動画像はばらばらに管理されることになるので、意識して整理がされないと、全く関連付けされることが無くなってしまう。
【００６３】
このように、意図的に複数の撮像記録装置を使用して画像を撮影する場合、お互いの撮像記録装置が協調撮影可能であると、その後の検索や表示に非常に有効になる。
【００６４】
２台の撮像記録装置１、２で撮影を行う場合は、予めお互いを認識できる手順を行い、通信する際の相手先としてお互いが認識可能となる。そして、静止画撮像記録装置１を操作すると、時間（タイミング）、後述する実施形態のように画像等の撮影情報を動画撮像記録装置２に送信する。動画撮像記録装置２は、静止画撮像記録装置１から受信した撮影情報を動画フレームに直接付加したり、別途管理したりして関連付ける。
【００６５】
関連付けされた撮影情報は動画像を再生する際にインデックス情報として複数表示される。このときのインデックス情報は、動画撮像記録装置２と協調撮影を行った静止画撮像記録装置１の撮影情報となる。これは、一台で動画像と静止画像を撮像記録可能な動画撮像記録装置で撮影した動画像によくある、動画ファイルの映像の中身がどのような映像であるかを示すことに使用される静止画インデックスとは異なる。すなわち、お互いの撮影機材で撮影した画像の関連を表すことと、インデックスとして表示されている静止画像を撮影したタイミングに撮影されていた動画像の内容を検索、再生することを容易にする目的で使用可能である。
【００６６】
（第２の実施形態）
第２の実施形態では、静止画撮像記録装置１での撮影情報として静止画像を動画撮像記録装置２に送信し、動画フレームに関連付ける例を説明する。図１１は、静止画撮像記録装置１での撮影情報として静止画像を動画撮像記録装置２に送信し、動画フレームに関連付ける処理を示すフローチャートである。静止画撮像記録装置１のシーケンスは図１１（ａ）に、動画撮像記録装置２のシーケンスは図１１（ｂ）に対応する。
【００６７】
まず、静止画撮像記録装置１と動画撮像記録装置２とをペアリングして、協調撮影を開始する（ステップＳ１０１、Ｓ１１０）。この時点で、無線ＬＡＮの場合はＳＳＩＤの決定、暗号方式の決定、暗号キーの共有を行い、ＩＰアドレスの解決を行う。また、第１の実施形態でも述べたように、時間の同期も行う。
【００６８】
動画撮像記録装置２では、撮像スイッチ又は録画釦を押すことで動画撮影が開始される（ステップＳ１１１）。動画撮影が開始されると、動画撮像記録装置２は通信の受信割り込みを受信するまでは動画撮影及び記録を継続する（ステップＳ１１１〜Ｓ１１８）。
【００６９】
静止画撮像記録装置１では、撮影者が測光測距のためにレリーズボタン１１４を半押ししてＳＷ１がオンになったか否かを判定する（ステップＳ１０２）。ＳＷ１がオンになると、撮影情報として、ＳＷ１がオンになったという内容とオンになった時点の時間情報とを動画撮像記録装置２に送信する（ステップＳ１０３）。
【００７０】
動画撮像記録装置２では、動画撮影中に静止画撮像記録装置１からタイミング情報を受信すると（ステップＳ１１２）、ＳＷ１がオンになった時間に関連する動画フレームにタイミング情報をマークとして付加する（ステップＳ１１３）。通常静止画撮像記録装置１でのＳＷ１は、ＡＦ、測光測距に使用されるので何度もオンになる可能性がある。その場合、静止画撮像記録装置１は、ＳＷ１がオンになるたびに、タイミング情報を動画撮像記録装置２に送信する（ステップＳ１０２〜Ｓ１０４を繰り返す）。そして、動画撮像記録装置２は、タイミング情報を受信するたびに、動画フレームにマークをする（ステップＳ１１２〜Ｓ１１４を繰り返す）。
【００７１】
次に、静止画撮像記録装置１では、レリーズボタン１１４を全押ししてＳＷ２がオンになると（ステップＳ１０５）、撮影動作を開始し、撮影現像処理を行う（ステップＳ１０６、Ｓ１０７）。その後、撮影情報として、撮影された静止画像を動画撮像記録装置２に送信する（ステップＳ１０８）。撮影された静止画像はＳＷ２のタイミング情報と同じ意味を持ち、その撮影の時間（静止画像ファイルの生成時間）が含まれている。
【００７２】
動画撮像記録装置２では、静止画撮像記録装置１から静止画像を受信すると（ステップＳ１１４）、受信した静止画像ファイルの生成時間を抽出し、その時間を基に、関連した動画フレームに静止画像ファイルを関連付ける（ステップＳ１１６）。静止画撮像記録装置１は、ＳＷ２がオフになるまで、撮影された静止画像を動画撮像記録装置２に送信する（ステップＳ１０６〜Ｓ１０９を繰り返す）。また、動画撮像記録装置２は、静止画像を受信するたびに、動画フレームに関連付ける（ステップＳ１１５〜Ｓ１１７を繰り返す）。
【００７３】
動画撮影が終了するまで（ステップＳ１１８、Ｓ１１９）、静止画撮像記録装置１から送信されてくる撮影情報及び静止画像に対して、繰り返し受信情報処理を行う（ステップＳ１１２〜Ｓ１１７）。
【００７４】
図１２は、静止画撮像記録装置１でのＳＷ１のタイミングを動画撮像記録装置２に送信し、動画撮像記録装置２ではＡ１という動画フレームに関連付けていることを示す。また、静止画撮像記録装置１でのＳＷ２のオンにより撮影された静止画像Ａ´を動画撮像記録装置２に送信し、動画撮像記録装置２ではＡ４という動画フレームに関連付けていることを示す。
【００７５】
静止画撮像記録装置１の操作による撮影情報の送信は、例えば図９に示すように、ＵＤＰ部分を利用して行われる。ＵＤＰはユーザーデータパートを意味し、操作識別子、Ｄａｔａ長及びＤａｔａからなる。ＵＤＰ部分に入れる内容は自由に決めることができ、本例の場合、撮影情報はＳＷ１、撮影画像の情報になる。操作識別子には、ＳＷ１、撮影時間情報と撮影画像ファイル名であることを示すコードを格納する。Ｄａｔａ長には、ＳＷ１の情報を通知する場合は４Ｂｙｔｅという意味で４を入れる。Ｄａｔａには、ＳＷ１がオンになったタイミング情報を格納する。また、撮影画像ファイル名の場合は、撮影時間情報４Ｂｙｔｅとファイル名１２Ｂｙｔｅの長さ分として１６ＢｙｔｅのＤａｔａ長があるという意味で１６をＤａｔａ長に入れる。Ｄａｔａとしては撮影時間と画像ファイル名が入る。本例では時間情報に４Ｂｙｔｅ、ファイル名に１２Ｂｙｔｅとしているが、当然システムによってデータ長は変っても良い。なお、ＵＤＰの構成及びＵＤＰを通信する通信フレームはこの構成でなくても構わない。ＵＤＰのデータ構成としては撮影時間とファイル名をＵＤＰの中に撮影時間の識別子と撮影時間のＤａｔａ長と撮影時間のＤａｔａ、ファイル名の識別子とファイル名のデータ長とファイル名のデータの組合わせで入れ子の構造にしても良い。その他、別々のコード体系でデータ構造を作っても良い。
【００７６】
動画撮像記録装置２は、受信した撮影情報を画像フレームに関連付ける。動画フレームへの関連付けは、図５のｔｒａｋボックス内に新たにｓＩｎｄｅｘボックス（ｉ）をデータ領域としてＭＰ−４の構成とする。静止画撮像記録装置１からの撮影情報はｓＩｎｄｅｘボックスにマークする。ここでマークと記述しているのはデータを格納することを意味する。
【００７７】
図１０に、ｓＩｎｄｅｘボックスのデータ構成の例を示す。フレーム識別子は動画フレームの識別を行い、操作識別子は前記ＵＤＰの操作識別子が入る。データ１、２、・・・は構成によって変る。本例では撮影ファイル名の場合、撮影時間情報をデータ１に格納し、ファイル名をデータ２に格納する。撮影された静止画は別のタイミングで送信されても、先に送信した撮影時間情報とファイル名で関連付けすることが可能である。ｓＩｎｄｅｘボックス内のデータは、図５に示すように各動画フレームに対応して書き込まれる。
【００７８】
（第３の実施形態）
第３の実施形態として、動画撮像記録装置２で画像を再生する場合について説明する。動画撮像記録装置２の表示部に撮影した画像ファイルに関する情報を表示しても良いし、動画撮像記録装置２をテレビ等の外部表示装置に接続し、外部表示装置に撮影した画像ファイルに関する情報を出力、表示しても良い。
【００７９】
動画ファイルの場合、ファイルに記録されている内容がどのようなものかが画像インデックスで表示されている場合が多い。この画像インデックスは、例えば動画撮像記録装置２で撮影した動画ファイルの先頭動画フレームを用いて表示される。この場合に、協調撮影した静止画撮像記録装置１からの情報をその動画の関連インデックスとして表示する。
【００８０】
図１３は、本実施形態において、再生をする場合の動画像リストとその動画像インデックスとしての静止画像群を表示している概念図である。図１３において、動画像インデックス群は、記録されている動画の先頭画像を表示し、その動画像ファイルに何が記録されているかを表示しているイメージ図である。動画像ファイルが複数記録されていることを再生画面に横の列として示している。表示している画像は動画像ファイルの内容を示唆している。この画像は上述したように先頭画像で無くても良く、動画像ファイル内の代表フレーム画像で良い。また、縦の列は横の列と交差している動画像を記録した動画撮像記録装置２と協調撮影していた静止画撮像記録装置１の静止画像群である。図１３では、動画撮像記録装置２と静止画撮像記録装置１とで協調撮影した時の動画像２に対する静止画像を表示している。
【００８１】
図１３において、例えば動画１に対しては静止画１〜静止画５が関連付けされた静止画像として表示している。この静止画１〜静止画５は、協調撮影された際に、静止画撮像記録装置１から撮影情報として送信され、動画撮像記録装置２で動画フレームに関連付けされていることを示す。
【００８２】
図１４に、動画再生の流れを示す。インデックスとして表示される任意の静止画像を選択、指定すると（ステップＳ２０１）、それに関連した再生要求が発生する（ステップＳ２０２）。指定された静止画像に関連する動画フレームを図５のｔｒａｋボックスのｓＩｎｄｅｘボックス内の情報から検索し、それに関連した動画フレームを再生する（ステップＳ２０３）。
【００８３】
図１５は、静止画像の選択とそれに関連した動画フレームの再生の概要を示す。Ｃ０、Ｃ１、・・・、Ｃ５、・・・は、協調撮影した動画フレームを示す。また、静止画Ｉｎｄｅｘ Ｃは、動画フレームＣ４と関連付けられていることを示す。静止画Ｉｎｄｅｘ Ｃの画像に関連した動画を再生するために、静止画Ｉｎｄｅｘ Ｃを選択した場合を考える。この場合、ｓＩｎｄｅｘボックスの情報から、関連付けられた動画フレームであるＣ４フレームを検索し、Ｃ４から再生を開始する（Ｃ４、Ｃ５、・・・と再生する）（図１５（ｂ）を参照）。
【００８４】
（第４の実施形態）
上記第３の実施形態では、表示されている静止画像を選択すると、その静止画像に関連付けられた動画フレームを検索し、再生を開始する例を説明した。第４の実施形態では、静止画像に対応した動画フレームからの再生ではなく、ある静止画像を選択すると、その静止画像を撮影するために、静止画像の撮影者が撮影を狙っていたタイミングから再生する例を説明する。
【００８５】
協調撮影の撮影情報には、ＳＷ１、ＳＷ２のタイミング情報も含まれている。静止画像の撮影者が撮影を狙っていたタイミングをＳＷ１のタイミングに位置付ける。
【００８６】
図１６に、動画再生の流れを示す。任意の静止画像を選択すると（ステップＳ２０４）、それに関連した再生要求が発生する（ステップＳ２０５）。本実施形態では、選択された静止画像に関連する動画フレームからではなく、それよりも以前の動画フレームで、ＳＷ１のタイミング情報がマークされている動画フレームから再生を開始する（ステップＳ２０６、Ｓ２０７）。
【００８７】
図１２において、ＳＷ１がオンになったタイミングの動画フレームはＡ１であり、露光し静止画を撮影したときに関連付けられる動画フレームはＡ４である。静止画Ａ'が再生に選択される静止画像となり、再生ポイントの動画フレームがＡ４となる。静止画Ａ'が選択されると、動画ファイル構造のｔｒａｋボックスのｓＩｎｄｅｘボックスの操作識別子とデータ１、データ２から静止画像Ａ'に関する情報と一致するものを検索する。その際に、ｓＩｎｄｅｘボックスのＳＷ１に関する情報も保持する。保持内容の更新は新規にＳＷ１情報の入ったｓＩｎｄｅｘボックスの情報が見つかったら更新する。Ａ'に対応するｓＩｎｄｅｘの情報が見つかったら、その時保持しているＳＷ１の情報の入ったｓＩｎｄｅｘボックス内のフレーム識別子から、対応する動画フレームを確定し、そのフレームから再生する。
【００８８】
図１５は、静止画像の選択とそれに関連した動画フレームの再生の概要を示す。静止画Ｉｎｄｅｘ Ｃを再生するために選択すると、ＳＷ１のタイミングと関連付けられた動画フレームＣ１から再生が開始される（図１５（ｃ）を参照）。このように、静止画撮影をしたタイミングよりも手前から再生することで、写真撮影をする直前の動画場面の状況を容易に見ることができる。
＜他の実施形態＞
上記の各実施形態は、本発明が適用可能な実施形態の一例にすぎず、各実施形態を適宜組み合わせることも可能である。
【００８９】
なお、本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００９０】
この場合、記憶媒体から読み出されたプログラムコード自体が上述した実施形態の機能を実現することになり、プログラムコード自体及びそのプログラムコードを記憶した記憶媒体は本発明を構成することになる。
【００９１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００９２】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されても良い。
【００９３】
更に、記憶媒体から読み出されたプログラムコードが、コンピュータに挿入された機能拡張ボードやコンピュータに接続された機能拡張ユニットに備わるメモリに書き込まれる形態でも良い。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【符号の説明】
【００９４】
１      静止画撮像記録装置
２      動画撮像記録装置
１００  カメラ本体
１１４  レリーズボタン
４０２  マイクロコンピュータ
４０４  外部インタフェース
４０５  スイッチ（ＳＷ１）
４０６  スイッチ（ＳＷ２）
４０７  レンズ制御回路
４０８  外部表示制御回路
４０９  外部表示装置
４１０  スイッチセンス回路
４１１  電子ダイヤル
４１２  ストロボ発光調光制御回路
４１３  測距回路
４１４  測光回路
４１６  バックライト照明装置
４１７  ＬＣＤモニタ装置
４１８  撮像素子
４１９  記録媒体
４２３  Ａ／Ｄコンバータ
４２４  画像バッファメモリ
４２５  画像処理回路
４２６  画素欠陥位置メモリ
４２７  ゴミ位置メモリ
４２８  メモリ
【図１】
2010193307.tif 000003
【図２】
2010193307.tif 000004
【図３】
2010193307.tif 000005
【図４】
2010193307.tif 000006
【図５】
2010193307.tif 000007
【図６】
2010193307.tif 000008
【図７】
2010193307.tif 000009
【図８】
2010193307.tif 000010
【図９】
2010193307.tif 000011
【図１０】
2010193307.tif 000012
【図１１】
2010193307.tif 000013
【図１２】
2010193307.tif 000014
【図１３】
2010193307.tif 000015
【図１４】
2010193307.tif 000016
【図１５】
2010193307.tif 000017
【図１６】
2010193307.tif 000018